(57)【要約】      （修正有）【課題】扇風機や暖房機などの送風のための軸流ファンにおいて、従来型と直径と回転数を同じくした時に、前方に発生する風の面積、及び風量を大きくし、しかも、ファン自体の強度を保ったまま、量産が容易なように二分割式金型で製造可能とする。【解決手段】回転駆動手段の回転軸に取り付けられる回転軸部4と、回転軸部4の外側に回転軸部4と同軸に設けられた内側羽根群2と、内側羽根群2の外側に内側羽根群2と同軸に設けられた外側羽根群3とを備え、内側羽根群2は回転軸部4を中心にして放射状に設けられた複数の内側羽根2からなり、外側羽根群3は回転軸部4を中心にして放射状に設けられた複数の外側羽根3からなる軸流ファン7において、内側羽根2と外側羽根3の枚数、面積、角度、形状を設計することにより、内側羽根群2によって形成される風の速度よりも外側羽根群3によって形成される風の速度を著しく速くする。【選択図】図１
2014224540.tif 000002
【特許請求の範囲】
【請求項１】
回転駆動手段の回転軸に取り付けられる回転軸部と、該回転軸部を中心とする環状の中間リングと、前記回転軸部から延び、前記回転軸部及び前記中間リングを連結するシャフトと、前記中間リングの外側に位置するとともに、前記中間リングに設けられた複数の外側羽根からなる外側羽根群とを備え、前記外側羽根群のそれぞれの外側羽根が正面から見た時に重ならないように配置されている軸流ファンを有することを特徴とする扇風機。
【請求項２】
前記回転軸部、前記中間リング、前記シャフト、及び前記外羽根群で一個のプラスチック成型品を形成している請求項１に記載の扇風機。
【発明の詳細な説明】
【技術分野】
【０００１】
本発明は、扇風機や換気扇、暖房器具など空気を送り出す必要がある機器の送風部の軸流ファンの形状に関わる。
【背景技術】
【０００２】
図３及び図４は、従来型の５枚羽根を持つ軸流ファンの説明図であり、図３は従来型５枚羽根ファンの正面図、図４は従来型５枚羽根軸流ファンの斜視図である。図１４は、従来型５枚羽根の軸流ファンを回転させた時に発生する風の広がりを表した図である。図１６は、従来型の軸流ファンの羽根の形状をそのままに、羽根の枚数を増やした場合の軸流ファンの説明図である。
【０００３】
従来、一般的な扇風機などでは、３枚から５枚羽根の軸流ファン、特に図３及び図４に示すような５枚羽根の軸流ファンが多く採用されており、製造上成形が容易な事もあり、この形状には、長年、変化が起こらない状況が続いていた。
【０００４】
そして、図１４に示すように、この従来型軸流ファンから発生する風は、直径３０センチの５枚羽根のものを毎分８００回転で回した場合で、軸流ファン正面から３メートル離れた場所で、風の面積は直径５０センチと、ほとんど広がりのない風１９となっていた。
【０００５】
しかし、例えば扇風機では、一般に首振り機能が付いているように、発生した風を広範囲に送る事が必要とされる事が多い。また、暖房器具でも、熱を住空間に広げるために送風機が用いられており、この場合も送風範囲が広い方が空間への熱伝達が容易になる。
【０００６】
これらの事から、送風のために軸流ファンを利用した機器の場合、使用時に発生する風の面積が広い方が都合の良い場合が多く見受けられる。例えば、巨大な軸流ファンを回転させれば、面積の大きい風を得る事ができるが、これを既存の送風機能を持つ器具の送風部に設置する事は、器具の限定された空間の中で、現実的ではない。従って、好ましくは、軸流ファンの直径を変える事なく、発生する風の広がり、すなわち、風の面積を大きくしたい。
【０００７】
また、軸流ファンから発生する風は、回転数が同じ場合、羽根の面積が大きいほど、発生する風量も大きくなる。
【０００８】
という事は、５枚羽根などの従来型の軸流ファンより羽根の面積を大きくした軸流ファンを回せば、同じ風量を得るために、５枚羽根などの従来型の軸流ファンよりも、低い回転数で済む事になり、騒音の改善や、消費電力の改善につながる可能性がある。 
【０００９】
しかし現在、扇風機や換気扇、暖房機等の軸流ファンにおいて、５枚より多い枚数の羽根を持つものは、ほとんどなく、また、著しく羽根の面積を大きくしたものもない。
【００１０】
これは、効率の良い軸流ファンを設計するためには、流体力学の知識等が必要となり、かつ、流体力学自体が未解明の部分が多いなど、設計上の困難が容易に予想される事や、量産時の問題が予測される事などが主な原因と考えられる。
【００１１】
例えば、図１６に示すように、軸流ファンの羽根の面積を増やすため、一般的な５枚羽根の軸流ファン１０の、羽根の形状をそのままに、羽根の枚数を増やした形状２１とした場合、羽根の付け根部において、軸流ファン正面から見た時の羽根同士の重なり２２が出来てしまう。これは、プラスチック成型時などに量産に使用される二分割の射出成型金型を使用した場合のアンダーカット部が出来てしまうという事になり、量産製造を考えた場合、非現実的である。
【００１２】
また、この場合の解決策の一つとして、羽根同士が重ならないよう、羽根の付け根部を細くするという事は容易に考えつくが、回転時には羽根の外周に近い部分ほど大きい負荷がかかり、これを重なりをさけるために細くした根元だけで支持するという事になり、強度的に問題が残ってしまう。従って好ましくは、一般的な量産方法である、金型を２分割とした射出成形加工で製造可能な形状で、軸流ファン自体の強度も保ちつつ、軸流ファンの羽根の枚数や面積を増加させたい。
【先行技術文献】
【特許文献】
【００１３】
【特許文献１】特開平１０-１４１２８５号公報
【特許文献２】特開２０００-１２０５９０号公報
【特許文献３】特開２００２-２２１１９１号公報
【特許文献４】特開２００４-０６０４４７号公報
【発明の概要】
【発明が解決しようとする課題】
【００１４】
本発明が解決しようとする課題は、送風のために使用される軸流ファンにおいて、より広い面積の風が求められる場面が多いにも関わらず、従来の軸流ファンではそれを提供する事ができない点と、風量を大きくし、低回転、低騒音、省エネルギー型の軸流ファンを製造しようとするために羽根の面積を増やそうとする場合、量産時の効率と軸流ファン自体の強度を両立する事が困難な点である。
【課題を解決するための手段】
【００１５】
本発明は、モータなどの回転駆動手段の回転軸に取り付けられる回転軸部と、該回転軸部の外側に該回転軸部と同軸に設けられた内側羽根群と、該内側羽根群の外側に該内側羽根群と同軸に設けられた外側羽根群とを備え、該内側羽根群は該回転軸部を中心にして放射状に設けられた複数の内側羽根からなり、該外側羽根群は該回転軸部を中心にして放射状に設けられた複数の外側羽根からなることを特徴とする。
【００１６】
すなわち、本発明は、羽根の面積を大きくしながら量産時の射出成形加工時において上下二分割式の金型での製造を可能とするために、回転軸部と、回転軸に対し同心円になる、該回転軸部とファンの外周との間に位置する中間リングと、該回転軸部を根元とし該中間リングまで達する内側羽根群と、該中間リングを根元とし、ファンの外周まで達する外側羽根群を備え、該内側羽根群と該外側羽根群の枚数、面積、形状、角度を異なるものとし、該内側羽根群と該外側羽根群をそれぞれ関連のない形状とすることで、ファン正面から見た時に羽根同士が重なっていない形状とする事ができ、かつ、該中間リングがファン全体の強度の増加にもつながるようにした事を特徴とする。
【００１７】
また、本発明は、該内側羽根群と該外側羽根群の羽根の枚数、面積、形状、角度を異なったものとする事で、ファンとして回転した時に、該内側羽根群から発生する風の風速と、該外側羽根群から発生する風の風速を異なるものとする事ができるようにした事を特徴とする。
【００１８】
すなわち、本発明は、回転軸部と、回転軸に対し同心円になり、該回転軸部とファンの外周との間に位置する中間リングと、該回転軸部に根元が結合し、回転軸を中心とした時の放射方向へ向って伸び、該中間リングに達し、該中間リングに結合する内側羽根と、該内側羽根を、回転軸を中心とした時の回転方向へ連続して複製した形状となる複数枚の内側羽根群と、該中間リングに根元が結合し、回転軸を中心とした時の放射方向へ向って、正面から見た時に広がりながらファンの外周まで達する外側羽根と、該外側羽根を回転軸を中心とした時の回転方向へ連続して複製した形状となる複数枚の外側羽根群とを備えている。
【００１９】
また、該内側羽根、及び、該内側羽根群は、該回転軸部に、回転方向に向って、迎え角を持って結合しており、該外側羽根、及び、該外側羽根群は、該中間リングに、回転方向に向って、迎え角を持って結合し、該内側羽根の回転方向に対する前縁と、該外側羽根の回転方向に対する前縁が、ファン正面から見た時に連続しない線となり、該内側羽根の回転方向に対する後縁と、該外側羽根の回転方向に対する後縁が、ファン正面から見た時に連続しない線となり、該内側羽根群と該外側羽根群が、それぞれ独立している事を特徴とする。
【００２０】
該中間リングに連結する内側の羽根群と外側の羽根群は、設計意図によって、それぞれの枚数、面積、角度、形状を、それぞれに設定する事ができる。
【００２１】
ここで、該内側羽根の迎え角をα１、該外側羽根の迎え角をα２としたとき、該迎え角α１と該迎え角α２は、α１<α２の関係になっていることが好ましい。ここで、迎え角α１は、該内側羽根の迎え角が場所によって異なる場合は、平均値としての迎え角であり、迎え角α２は、該外側羽根の迎え角が場所によって異なる場合は、平均値としての迎え角である。また、該内側羽根の合計面積をＳ１、該外側羽根の合計面積をＳ２としたとき、該面積Ｓ１と該面積Ｓ２は、Ｓ１＜Ｓ２の関係になっていることが好ましい。そして、該内側羽根群によって形成される風の速度Ｖ１と該外側羽根群によって形成される風の速度Ｖ２は、１．５Ｖ１＜Ｖ２の関係になっていることが好ましい。
【００２２】
また、ファン正面から見た時の内側羽根群の隣り合う内側羽根間の隙間の合計面積Ｓgと内側羽根の合計面積Ｓ１との関係は、Ｓg＜０.１２Ｓ１の関係にあるのが好ましい。従来技術の軸流ファンのように、内側羽根の間の隙間が大きいと、外側羽根群によって形成された早くて強い風によって、内側羽根の間の隙間から空気が吸い込まれ、この空気が内側羽根によって形成される風と合流して風の速度を上げるので、内側羽根の領域で形成される風の速度と、外側羽根の領域で形成される風の速度の差があまり大きくならないからである。
【００２３】
また、該中間リングは、軸流ファンの回転軸とファンの外周を同心円に見る事ができる視点からの投影図を正面とした時の側面において、その断面は、板状でなくとも、楕円、翼断面などの他の形状でもよい。
【発明の効果】
【００２４】
図１及び、図２は、本発明に係る軸流ファンを示す図であり、図１は、本発明に係る軸流ファンの正面図、図２は、本発明に係る軸流ファンの斜視図とモーターの説明図である。図３、及び図４は、従来型の５枚羽根を持つ軸流ファンの説明図である。図１４は、従来型５枚羽根の軸流ファンを回転させた時に発生する風の広がりを表した図である。図１５は、本発明に係る軸流ファンを回転させた時に発生する風の広がりを表した図である。
【００２５】
本発明によれば、中間リング１の内側羽根２群と外側羽根３群の羽根の枚数、角度、形状をそれぞれ異なるものとする事によって、回転させた時に中間リング１の内側と外側で押し出す風の量を異なるものとする事ができ、すなわち一個の軸流ファン７として回転した場合、中間リング１の内側１１と外側１２で、発生する風の風速を変える事ができることが可能になり、軸流ファン正面の至近距離部において、中間リング１の内側１１と外側１２から、それぞれ押し出された空気に密度の差を発生させることができ、これにより、中間リングの内側１１と外側１２から発生したそれぞれの風を影響させ合い、通常、緩やかに広がって行くだけの風の広がり方向への運動１９を、異なった方向への運動へ変化させる事ができるという効果がある。
【００２６】
また、本発明によれば、中間リング１の内側羽根２群と外側羽根３群の、それぞれの羽根の枚数、角度、形状を、設計意図によって調整する事によって、一個の軸流ファン７として回転させた時に、中間リングの内側の羽根群と外側の羽根群それぞれから発生する風速の差を調整することができ、その差によって生じる軸流ファン正面から発生する風の方向の変化を意図的に調整する事ができるという効果がある。
【００２７】
また、本発明によれば、中間リング１の外側と内側のそれぞれの羽根群の枚数、面積、形状を設計意図によって、中間リング１の外側１２から発生する風の風速Ｖ２が中間リング１の内側１１から発生する風の風速Ｖ１よりも著しく速くなるように設定した場合、回転する軸流ファン正面の至近距離位置において押し出された流体に発生する密度の差により、中間リング１の外側から発生する風は、中間リング１の内側から発生する密度の低い風に引っ張られ、通常、緩やかに広がって行く運動１９を、内側方向へ巻き込まれて行く運動３０に変化させる事ができ、回転する軸流ファン正面から、例えば数十センチの近距離の位置３１において風が集まり、回転する軸流ファンから発生した時からの渦を巻こうとする運動エネルギーと、風が一カ所に集まった反動によって、その後、風が大きく拡散していく運動２０に変化し、回転する軸流ファン正面から、例えば３メートル等、離れた地点において、従来型の軸流ファンの風の広がりに比べて、大きい面積となる風を発生させる事ができるという効果がある。
【００２８】
すなわち、本発明によれば、中間リング１の外側と内側のそれぞれの羽根群の枚数、面積、形状を設計意図によって設定する事によって、回転する軸流ファン正面から、例えば３メートル離れた地点において、従来の３枚や５枚羽根の軸流ファン１０を同じ回転数で回転させた時に発生する風の面積に比べて、５倍以上となる、広い面積の風を発生させる事ができるという効果がある。
【００２９】
また、本発明によれば、内側羽根２の回転方向３６に対する前縁３２と、外側羽根３の回転方向３６に対する前縁３３が正面から見た時に連続しない線とし、かつ、内側羽根２の回転方向３６に対する後縁３４と、外側羽根３の回転方向３６に対する後縁３５が正面から見た時に連続しない線とし、内側羽根２群と外側羽根３群を互いに独立した形状とする事ができ、例えば、中間リング１の外側羽根３群の枚数を多くし、外側の総羽根面積を大きくした場合でも、回転軸に連結する中間リング１の内側羽根２群の枚数を少なくする事ができ、従って、回転軸付近での羽根同士の重なりを排除し、量産時の射出成型を容易にしながら、軸流ファン全体の総羽根面積を大きくする事ができるという効果がある。
【００３０】
また、本発明によれば、中間リング１自体が軸流ファン全体の物理的強度を増加させる事になり、軸流ファンの羽根の総面積を大きくした場合においても、プラスチック射出成型などの一般的な量産方法で製造した場合に、十分な強度を持たせる事ができるという効果がある。
【００３１】
また、本発明によれば、中間リング１の内側と外側で、それぞれの羽根群が形状として放射状に連続する必要がなく、独立させる事ができ、量産時に問題となる羽根の重なりを考慮する事なく、全体の羽根の枚数と羽根の総面積を大きくした軸流ファンを製造する事が可能となり、これを回転させた場合、従来の３枚から５枚羽根の軸流ファンを同じ回転数で回転させた時に比べて、風量の多い風を発生させる事ができるという効果がある。
【００３２】
また、本発明によれば、中間リング１の内側と外側で、それぞれの羽根群の羽根の枚数を、根元部分における羽根の重なり、製造後の強度不足の問題を考慮せずに設定できるため、羽根の枚数を著しく増やす事ができ、例えば３枚羽根よりも５枚羽根の軸流ファンの方が風が優しいと感じると言われている中、５枚よりも枚数の多い羽根で、さらに優しいと感じられる風を発生することができるという効果がある。
【図面の簡単な説明】
【００３３】
【図１】本発明に係る軸流ファンの正面図である。
【図２】本発明に係る軸流ファンとモーターの斜視図である。
【図３】従来型の５枚羽根タイプの軸流ファンの正面図である。
【図４】従来型の５枚羽根タイプの軸流ファンの斜視図である。
【図５】本発明に係る軸流ファンの三面図である。
【図６】軸流ファンと軸流ファンを取り付けるためのモーターとその支持装置の説明図である。
【図７】扇風機型モーター支持装置に本発明に係る軸流ファンを取り付けた装置の説明図である。
【図８】扇風機型モーター支持装置に従来型の５枚の羽根で構成される一般的な軸流ファンを取り付けた装置の説明図である。
【図９】軸流ファンの送風範囲を計測する際に使用した計測ポイントの斜視図である。
【図１０】軸流ファンの送風範囲を計測する際に使用した計測ポイントを上から見た図である。
【図１１】本発明に係る中間リングを複数とした場合の軸流ファンの説明図である。
【図１２】本発明に係る軸流ファンを換気扇に取り付けた説明図である。
【図１３】本発明に係る軸流ファンを利用した暖房機の説明図である。
【図１４】従来型５枚羽根の軸流ファンを回転させた時に発生する風の広がりを表した説明図である。
【図１５】本発明に係る軸流ファンを回転させた時に発生する風の広がりを表した図である。
【図１６】従来型の軸流ファンの羽根の形状をそのままに、羽根の枚数を増やした場合の軸流ファンの説明図である。
【発明を実施するための形態】
【００３４】
送風のための軸流ファンにおいて、軸流ファンの外径大きさや回転数を変更する事なく、面積が広く、風量が多く、優しい風を発生させるという目的を、回転軸とファンの外周との間に回転軸と同心円の、中間リングを設け、かつ、中間リング内側と外側のそれぞれの羽根群を任意の形状、枚数、面積とするものした軸流ファン形状とする事によって、容易な量産を可能とし、軸流ファン自体の強度的な問題を解決しつつ、実現した。
【００３５】
実施例１
図１は本発明に係る軸流ファンの正面図、図２は本発明に係る軸流ファンとモーターの斜視図、図３は従来の５枚羽根タイプの軸流ファンの正面図、図４は従来の５枚羽根タイプの軸流ファンの斜視図、図５は本発明に係る軸流ファンの三面図、図６は軸流ファンを取り付けるためのモーターとその支持装置の説明図、図７は扇風機型モーター支持装置に本発明に係る軸流ファンを取り付けた装置の説明図、図８は扇風機型モーター支持装置に従来型の５枚の羽根で構成される一般的な軸流ファンを取り付けた装置の説明図、図９、及び、図１０は、軸流ファンの送風範囲を計測する際に使用した計測ポイントの説明図である。図１４は、従来型５枚羽根の軸流ファンを回転させた時に発生する風の広がりを表した説明図である。図１５は、本発明に係る軸流ファンを回転させた時に発生する風の広がりを表した図である。
【００３６】
これらの図において、１は軸流ファンの回転軸とファンの外周との間に位置する、回転軸と同心円となる中間リングであり、この場合、中間リング１の直径は１７センチなっている。２は中間リング１の内側羽根であり、それに連なる羽根群を含めて中間リング１の内側の羽根群の枚数は５枚となっている。３は中間リング１の外側羽根であり、それに連なる羽根群を含めて、中間リング１の外側の羽根群の枚数は９枚となっている。これに、モーター５の回転軸６とネジなどによって結合される軸流ファンの回転軸部４がある。
【００３７】
中間リング１と内側羽根２とそれに連なる内側羽根群、外側羽根３とそれに連なる外側羽根群、及び回転軸部４は、一個のプラスチック成型品として結合しており、直径３０センチの一個の軸流ファン７として回転する。
【００３８】
また、軸流ファン７は、回転したときの発生する風量を大きくするため、中間リング１の内側羽根２群と外側羽根３群において、各羽根の面積が大きくなるように設定されている。また、中間リング１の内側と外側の羽根群は、回転した時にそれぞれから発生する風の風速の差を大きくなるよう、すなわち、内側羽根２の群から発生する風の速度Ｖ１よりも、外側羽根３の群から発生する風の速度Ｖ２が大きくなるように、各羽根の形状と角度が設定されている。
【００３９】
軸流ファン７をモーター５のモーター回転軸６に取り付け、これらを支持する装置８にネジ等で固定する事により取り付け、扇風機型の送風装置９を用意する。
【００４０】
次に、送風機９の軸流ファン７を毎分８００回転で回転させ、軸流ファン７の正面から１センチの距離で、内側羽根２とそれに連なる内側羽根群からの風の発生部となる位置、すなわち回転軸からファンの外周方向に４センチ移動した位置１１でその風速を計測し、合わせて、外側羽根３とそれに連なる外側羽根群からの風の発生部となる位置、すなわち回転軸からファンの外周方向に１０センチ移動した位置１２でも風速を計測したところ、表１に示す通りであった。なお、風速の値は、各位置で１分間継続して計測した時の、その平均値を用いている。
【００４１】
【表１】
2014224540.tif 000003
【００４２】
次に、従来型の５枚の羽根で構成される直径３０センチの一般的な軸流ファン１０を用意し、これをモーター５のモーター回転軸６に取り付け、これらを支持する装置８にネジ等で固定する事により取り付け、扇風機型の送風装置１３を用意する。
【００４３】
次に、送風機１３の軸流ファン１０を毎分８００回転で回転させ、表１に対応させるため、軸流ファン１０の正面から１センチの距離で、回転軸からファンの外周方向に４センチ移動した位置１４でその風速を計測し、合わせて、回転軸からファンの外周方向に１０センチ移動した位置１ ５でも風速を計測したところ、表２に示す通りであった。なお、風速の値は、各位置で１分間継続して計測した時の、その平均値を用いている。
【００４４】
【表２】
2014224540.tif 000004
【００４５】
表１と表２を比べると、回転軸からファンの外周方向に４センチ移動した位置と１０センチ移動した位置の風速の違いは、表１の場合１.７４倍、表２の場合で１.３倍となっており、表１の本発明で構成した軸流ファン７は、表２の従来型の５枚の羽根で構成される軸流ファン１０に比べて、回転時に軸流ファンの外周付近から発生する風の風速と、回転軸付近から発生する風の風速の差が大きくなっている事がわかる。
【００４６】
この時、表２に表した従来型の５枚の羽根で構成される軸流ファン１０は、ファンの外周付近から発生する風の風速と、回転軸付近から発生する風の風速の差が少く、図１４に表すように、穏やかに広がる方向１９を持つ風を発生させている。
【００４７】
また、表１に表した本発明に係る軸流ファン７は、ファンの外周付近から発生する風の風速と、回転軸付近から発生する風の風速の差が大きくなる事によって、回転した時に、図５に示す、ファン正面の至近距離位置の軸付近空間２４とファンの外周付近空間２５において、押し出される空気の量に大きな差が発生し、すなわち、空気の密度に差が発生する事になる。そして、押し出された空気に発生する密度の差により、中間リング１の外側から発生する風は、中間リング１の内側から発生する密度の低い風に引っ張られ、通常、緩やかに広がって行く運動１９が、内側方向へ巻き込まれて行く運動３０に変化し、軸流ファン７正面から、約４０センチの近距離の位置３１において風が集まり、風が一カ所に集まった反動によって、その後、風が大きく拡散していく運動２０に変化している。以下に、その風の広がりについての計測結果を記載する。
【００４８】
次に、送風機９の軸流ファン７の回転軸を水平とし、その高さを地面から６０センチとし、毎分８００回転で回転させる。風の広がりを調べるために、軸流ファン７の回転軸に交わる水平面において、軸流ファン７の正面方向に図９及び図１０で表される網目状の計測間隔を設定し、黒点１６に示す、複数の計測ポイントとを設定し、各ポイント１６で風速を計測したところ、表３に示す通りであった。なお、風速の値は、各位置で２分間継続して計測した時の、その平均値を用いている。
【００４９】
【表３】
2014224540.tif 000005
【００５０】
次に、送風機１３の軸流ファン１０の回転軸を水平とし、その高さを地面から６０センチとし、毎分８００回転で回転させる。前記表３に対応させるため、計測条件を表３計測時と同様にし、各ポイントで風速を計測したところ、表４に示す通りであった。なお、風速の値は、各位置で２分間継続して計測した時の、その平均値を用いている。
【００５１】
【表４】
2014224540.tif 000006
【００５２】
本発明に係る軸流ファン７の風の範囲である表３と、従来型の５枚の羽根で構成される軸流ファン１０の風の範囲である表４を比べると、軸流ファンの直径、回転数が同じにも関わらず、表３の本発明に係る軸流ファン７の方が、送風の範囲が大きくなっており、すなわち発生させる風の面積を大きくする事ができるという事がわかる。また、軸流ファンを回転させた時に発生する風は、正面から見た時に概ね円形となるので、本発明に係る軸流ファン７から発生する風は、３メートル離れた地点で概ね直径１.５メートルの風になっており、従来型の５枚の羽根で構成される軸流ファン１０から発生する風は、同位置で概ね直径５０センチの風になっている。この事から、ファン正面から３メートル離れた位置においては、本発明に係る軸流ファン７は、従来型の５枚の羽根で構成される軸流ファン１０に比べて、約９倍の面積に発達する風を発生させている事がわかる。
【００５３】
以上の結果は、上述したように軸流ファンの内外羽根群の風速比に起因するものと考えられる。そして、風速比は、表１の結果によれば、本発明の内側羽根群によって形成される風の速度Ｖ１と外側羽根群によって形成される風の速度Ｖ２は、Ｖ１：Ｖ２=１：１.７４の関係になっており、表２の結果から、従来の軸流ファンの内側部分によって形成される風の速度Ｖ１と外側部分によって形成される風の速度Ｖ２は、Ｖ１：Ｖ２=１：１.３になっている。そして、これらの結果及びその他の実験結果から総合的に判断して、内側羽根群によって形成される風の速度Ｖ１と外側羽根群によって形成される風の速度Ｖ２は、１.５Ｖ１＜Ｖ２の関係にあるのが好ましいと思われる。
【００５４】
実施例２
図１１は、本発明に係る中間リングを複数とした場合の軸流ファンの説明図である。 
【００５５】
前述した構成において、中間リング１は一重でなくとも、求める送風範囲や、風の広がり方向や、用途によっては、中間リング１を複数にした軸流ファン２３とする事もできる。
【００５６】
実施例３
前述した構成において、中間リング１の内側と外側のそれぞれの羽根群は、回転時に風速の差を大きくする事によって、送風範囲の変化などの効果をもたらすものなので、求める送風範囲や、風の広がり方向や、用途によっては、中間リング１内側の羽根２群は、例えば羽根形状ではなく中間リングと回転軸部を連結するだけのシャフトのような送風機能がないものとする事もできる。
【００５７】
実施例４
前述した構成において、中間リング１内側と外側のそれぞれの羽根群は、回転時に風速の差を大きくする事によって、送風範囲の変化などの効果をもたらすものなので、求める送風範囲や、風の広がり方向や、用途によっては、中間リング１の内側羽根２群は、一個の軸流ファンとして回転した時に中間リング１の外側羽根３群と逆方向へ送風する羽根形状のものとする事もできる。
【００５８】
実施例５
前述した構成において、中間リング１の直径は、求める送風範囲や、風の広がり方向や、用途によっては、回転軸と軸流ファン外周との間で、大きくしたり小さくしたりと、大きさを異なったものに設定する事もできる。
【００５９】
実施例６
図１３は、本発明に係る軸流ファンを利用した暖房機の説明図である。
【００６０】
前述した構成において、本発明に関わる軸流ファンは、扇風機型送風機でなくとも、例えば図１３に表すように、暖房機１８の送風機部分等にも利用でき、他にも広い範囲に送風する機能を必要とする器具の送風部にも利用する事ができる。
【００６１】
比較例１
特開平１０-１４１２８５号公報に記載された図１のファン組立体１１について、回転軸を水平とし、その高さを地面から６０センチとし、毎分８００回転で回転させる。前記表３に対応させるため、計測条件を表３計測時と同様にし、各ポイントで風速を計測したところ、表５に示す通りであった。なお、風速の値は、各位置で２分間継続して計測した時の、その平均値を用いている。
【００６２】
【表５】
2014224540.tif 000007
【００６３】
特開平１０-１４１２８５号公報に記載された図１のファン組立体１１は、内側羽根の間の隙間が大きく、外側羽根群によって形成された早くて強い風によって、内側羽根の間の隙間から空気が吸い込まれ、この空気が内側羽根によって形成される風と合流して風の速度を上げるので、内側羽根の領域で形成される風の速度と、外側羽根の領域で形成される風の速度の差があまり大きくならず、３メートル離れた地点でも概ね直径５０センチと、あまり拡がらない風になっている。
【産業上の利用可能性】
【００６４】
図１２は、本発明に係る軸流ファンを換気扇に取り付けた説明図、図１３は、本発明に係る軸流ファンを利用した暖房機の説明図である。
【００６５】
本発明の軸流ファンは、扇風機や送風機への利用に限定するものではなく、他にも図１２に表すように換気扇１７など、また、図１３に表すように暖房器具１７など、内部に送風機を必要とするあらゆる器具に利用できる事はもちろんである。
【００６６】
また、本発明の軸流ファンは、外径を小さくする事によって、例えば、コンピューターに内蔵するファンなど、冷却が必要なあらゆる器具に利用できる事はもちろんである。
【００６７】
また、本発明の軸流ファンは、外径を大きくする事によって、たとえば、ビル施設の空調送風機能部など、空気の流れを発生させるための、あらゆる器具、設備に利用できる事はもちろんである。
【００６８】
また、本発明の軸流ファンは、流れを発生させる対象を空気に限定せず、ガスや液体など、あらゆる流体を対象とする事ができ、例えば水の中で回転させるスクリューなど、流体に流れを発生させるためのあらゆる器具に利用できる事はもちろんである。
【符号の説明】
【００６９】
１      中間リング
２      中間リングの内側の羽根
３      中間リングの外側の羽根
４      軸流ファンの回転軸部
５      モーター
６      モーターの回転軸
７      本発明に係る軸流ファン
８      モーターの支持装置
９      本発明に係る軸流ファンを取り付けた扇風機型の送風装置
１０    従来型の５枚の羽根で構成される一般的な軸流ファン
１１    風速計測ポイント
１２    風速計測ポイント
１３    従来型の５枚の羽根で構成される一般的な軸流ファンを取り付けた扇風機型の送風装置
１４    風速計測ポイント
１５    風速計測ポイント
１６    風速計測ポイント
１７    本発明に係る軸流ファンを取り付けた換気扇型の送風装置
１８    本発明に係る軸流ファンを送風機能部に取り付けた暖房装置
１９    従来型の５枚の羽根の軸流ファンを回転させた時の風の広がり
２０    本発明に係る軸流ファンを回転させた時の風の広がり
２１    従来型の５枚羽根を羽根の形状をそのままに１０枚はねとした場合の軸流ファン
２２    正面から見た時に羽根同士が重なる部分
２３    中間リングを複数とした本発明に係る軸流ファン
２４    本発明に係る軸流ファン正面の至近距離位置の軸付近空間
２５    本発明に係る軸流ファン正面の至近距離位置の外周付近空間
３０    本発明に係る軸流ファンを回転させた時の近距離における風の方向
３１    本発明に係る軸流ファンを回転させた時の風が集まる位置
【図１】
2014224540.tif 000008
【図２】
2014224540.tif 000009
【図３】
2014224540.tif 000010
【図４】
2014224540.tif 000011
【図５】
2014224540.tif 000012
【図６】
2014224540.tif 000013
【図７】
2014224540.tif 000014
【図８】
2014224540.tif 000015
【図９】
2014224540.tif 000016
【図１０】
2014224540.tif 000017
【図１１】
2014224540.tif 000018
【図１２】
2014224540.tif 000019
【図１３】
2014224540.tif 000020
【図１４】
2014224540.tif 000021
【図１５】
2014224540.tif 000022
【図１６】
2014224540.tif 000023